(57)【特許請求の範囲】
【請求項１】
主情報を記録する主情報記録領域と該主情報に関する管理情報を記録する管理情報記録領域とが形成された記録媒体から前記主情報と前記主情報の記録位置情報を含む前記管理情報とを検索し、再生し、再生された前記主情報を他の装置に出力するための再生手段と、
前記主情報を再生したときの編集開始ポイントと編集終了ポイントとを指定することによって構成される少なくとも１つ以上の編集プログラムの登録を行う登録手段と、
前記登録手段で登録された前記編集プログラムに従って前記記録媒体に記録されている前記主情報および前記管理情報を検索して再生するように前記再生手段における再生動作を制御し、前記記録媒体から再生された前記管理情報に従って前記再生手段における前記主情報の出力動作を制御し、更に前記編集プログラムおよび前記管理情報に従った編集動作を実行するように前記他の装置を制御する制御手段とを備え、該制御手段は前記登録手段が前記編集プログラムの登録を行う際には、通常再生時における検索速度にて前記記録媒体から再生される前記管理情報に含まれている前記記録位置情報により前記編集プログラムの登録を行うよう前記登録手段を制御することを特徴とする編集機能内蔵再生装置。
【請求項２】
前記制御手段においては、前記編集プログラムの登録の際に、記録媒体が前記通常再生時における検索速度よりも速い速度で検索されているか否かを検出し、記録媒体が前記通常再生時における検索速度よりも速い速度で検索されている場合には、当該編集プログラムの登録を禁止することを特徴とする請求項１に記載の編集機能内蔵再生装置。
【請求項３】
前記制御手段においては、前記編集プログラムの登録の際に、記録媒体が前記通常再生時における検索速度よりも速い速度で検索されているか否かを検出し、記録媒体が前記通常再生時における検索速度よりも速い速度で検索されている場合には、当該編集プログラムの登録が禁止されている旨を操作者に警告することを特徴とする請求項１に記載の編集機能内蔵再生装置。
【請求項４】
前記制御手段において、前記編集プログラムの登録の際には、編集プログラムの各編集点として登録しようとしている前記主情報の記録位置情報が補間されたものであるか否かを検出し、補間されたものである場合には、当該編集プログラムの登録を禁止することを特徴とする請求項１に記載の編集機能内蔵再生装置。
【請求項５】
前記制御手段において、前記編集プログラムの登録の際には、編集プログラムの各編集点として登録しようとしている前記主情報の記録位置情報が補間されたものであるか否かを検出し、補間されたものである場合には、当該編集プログラムの登録が禁止されている旨を操作者に警告することを特徴とする請求項１に記載の編集機能内蔵再生装置。
【請求項６】
前記装置は、更に、遠隔操作可能な複数種の他の装置の夫々に対応した複数種の遠隔制御コードの中から、実際に編集作業に使用する他の装置に対応した遠隔制御コードを選択し、選択された遠隔制御コードにしたがった遠隔制御信号を前記他の装置に対して発信し、前記他の装置における編集記録動作を遠隔操作するための遠隔操作手段を備えていることを特徴とする請求項１に記載の編集機能内蔵再生装置。
【請求項７】
前記遠隔操作手段は、前記他の装置に対して発信する前記遠隔制御信号の搬送に赤外線光を用いるように構成されていることを特徴とする請求項１に記載の編集機能内蔵再生装置。
【請求項８】
複数の検索速度で動作可能な、記録媒体から主情報と管理情報とを検索し、再生し、再生した前記主情報を他の装置に出力するための再生手段と、
前記記録媒体上の前記主情報を再生しながら編集開始点と終了点とを指定し、前記管理情報に従って登録する少なくとも１つ以上の編集プログラムの登録を行う登録手段と、
前記再生手段における検索速度が所定の速度のときには前記登録手段における登録を許可し、前記検索速度が前記所定の速度より高速なときは前記登録手段における登録を禁止する制御手段とを備えたことを特徴とする再生装置。
【請求項９】
請求項８において、前記記録媒体は前記主情報を記録する主情報記録領域と、少なくとも前記主情報の記録位置情報を含む前記管理情報を記録する管理情報記録領域とを有し、前記登録手段は前記主情報記録領域から再生される前記主情報に対応して前記管理情報記録領域から再生される前記記録位置情報に基づいて前記編集プログラムの登録を行うことを特徴とする再生装置。
【請求項１０】
請求項９において、前記制御手段は再生された前記記録位置情報が補間されたものであるか否かを検出した検出結果に応じて、補間された前記記録位置情報に関わる前記主情報については前記編集プログラムの登録を禁止することを特徴とする再生装置。
【請求項１１】
請求項８において、前記所定の速度とは通常再生時における検索速度であって、前記制御手段は前記記録媒体が前記通常再生時における検索速度よりも速い速度で検索されているか否かを検出して、前記記録媒体が前記通常再生時における検索速度よりも速い速度で検索されている場合には前記登録手段における登録を禁止することを特徴とする再生装置。
【請求項１２】
請求項８乃至１１のいずれか１項において、前記主情報を表示するための表示手段を更に有し、前記制御手段が前記登録手段における登録を禁止しているときは前記表示手段を用いて警告表示すること特徴とする再生装置。
【発明の詳細な説明】
【０００１】
【発明の属する技術分野】
本発明は、記録媒体に記録されている信号を遠隔操作可能な他の装置を用いて編集する編集機能を有する編集機能内蔵再生装置に関するものである。
【０００２】
【従来の技術】
ビデオテープ等の記録媒体に記録されているビデオ信号をビデオテープレコーダ等の他の装置にダビング記録編集するダビング編集システムが知られている。
【０００３】
上記ダビング編集システムは、例えば、記録媒体上に記録されている映像信号を編集する際に、該記録媒体上の任意の位置から任意の位置までを１カットとして、予め複数のカットを編集プログラムとして登録しておき、予め登録されている編集プログラムにしたがって、前記記録媒体上に記録されている複数のカットの映像信号を順次検索し、再生して、他の装置等に供給することにより、ダビング記録編集を行うものである。
【０００４】
また最近では、受け側のビデオテープレコーダの動作を制御するために、送り側のビデオテープレコーダに赤外リモコン装置の発信部を内蔵し、複数種記憶されている制御コマンドコードの中から受け側のビデオテープレコーダの製造メーカーや機種に対応する動作を制御するための制御コマンドコードを選択し、選択された制御コマンドコードにしたがって、上述のダビング記録編集動作時に前記赤外リモコン装置の発信部より受け側のビデオテープレコーダに対して制御コマンドを送り、受け側のビデオテープレコーダの動作を制御するように構成されたシステムも現れている。
【０００５】
【発明が解決しようとする課題】
ところで、前述のシステムにおいて、編集プログラムの登録を行う際には、編集対象となる記録媒体上の位置に関する位置情報（例えば、記録媒体が磁気テープである場合には、映像信号や音声信号と共に記録されているタイムコード）が、該記録媒体から映像信号や音声信号と共に再生される場合においては、該記録媒体から再生される位置情報を編集開始点や編集終了点として登録するようになっている。
【０００６】
しかしながら、上述のシステムにおいては、使用者は編集プログラムの登録を行う際に、記録媒体に記録されている映像信号や音声信号を再生し、再生される映像や音声の内容を確認しながら、映像信号や音声信号と共に記録媒体から再生される位置情報を使用して編集プログラムの登録を行っているが、記録媒体に記録されている映像や音声の内容を確認するのに記録媒体の搬送速度が通常再生時の搬送速度より速い高速サーチ再生にて記録媒体を再生する場合には、記録媒体から映像信号や音声信号と共に再生される位置情報が断続的にしか再生されない場合や記録媒体から映像信号や音声信号と共に再生される位置情報が何らかの原因により欠落している場合には、記録媒体から再生されなかった位置情報を例えば直前に再生された位置情報により補間するように構成されているので、補間された位置情報は、実際に再生される映像信号や音声信号が記録されている記録媒体上の位置とは対応がとれておらず、例えば補間された位置情報により編集プログラムの登録を行ってしまうと、登録した編集開始点や編集終了点と実際の記録媒体上の位置との対応がとれていないため、希望通りの編集を行うことができないという問題があった。
【０００７】
本発明は、上述のような従来の課題を解決し、編集プログラムの登録時に、使用者が気を使うことなく簡単に、記録媒体上の実際の位置との対応がとれている位置情報によって編集プログラムの各編集点の登録を行うことができ、希望通りの編集を正確に行うことができる編集機能内蔵再生装置を提供することを目的とする。
【０００８】
【課題を解決するための手段】
本発明の編集機能内蔵再生装置は、主情報を記録する主情報記録領域と該主情報に関する管理情報を記録する管理情報記録領域とが形成された記録媒体から前記主情報と前記主情報の記録位置情報を含む前記管理情報とを検索し、再生し、再生された前記主情報を他の装置に出力するための再生手段と、前記主情報を再生したときの編集開始ポイントと編集終了ポイントとを指定することによって構成される少なくとも１つ以上の編集プログラムの登録を行う登録手段と、前記登録手段で登録された前記編集プログラムに従って前記記録媒体に記録されている前記主情報および前記管理情報を検索して再生するように前記再生手段における再生動作を制御し、前記記録媒体から再生された前記管理情報に従って前記再生手段における前記主情報の出力動作を制御し、更に前記編集プログラムおよび前記管理情報に従った編集動作を実行するように前記他の装置を制御する制御手段とを備え、該制御手段は前記登録手段が前記編集プログラムの登録を行う際には、通常再生時における検索速度にて前記記録媒体から再生される前記管理情報に含まれている前記記録位置情報により前記編集プログラムの登録を行うよう前記登録手段を制御することを特徴とする。
また本発明の再生装置は、複数の検索速度で動作可能な、記録媒体から主情報と管理情報とを検索し、再生し、再生した前記主情報を他の装置に出力するための再生手段と、前記記録媒体上の前記主情報を再生しながら編集開始点と終了点とを指定し、前記管理情報に従って登録する少なくとも１つ以上の編集プログラムの登録を行う登録手段と、前記再生手段における検索速度が所定の速度のときには前記登録手段における登録を許可し、前記検索速度が前記所定の速度より高速なときは前記登録手段における登録を禁止する制御手段とを備えたことを特徴とする。
【０００９】
（作用）
上述の構成により、編集プログラムの登録時に、記録媒体上の実際の位置との対応がとれている位置情報によって編集プログラムの各編集点の登録が行われているかどうかを使用者に知らしめることができる。
【００１０】
【発明の実施の形態】
以下、図面を参照して、本発明の実施の形態について説明する。
【００１１】
図１は、本発明の一実施の形態として、本発明を適用したカメラ一体型ビデオテープレコーダ（ＶＴＲ）の概略構成を示すブロック図である。
【００１２】
図１において、１は撮像光学系、撮像素子、オートフォーカス機構、ズーム機構および収音マイクロフォン等からなり、被写体に対する合焦および光量等を調整し、撮像光学系による光学像を映像信号に変換して信号処理部２に出力したり、該収音マイクロフォンにて収音される音声を音声信号に変換して出力したりする撮像部、２は撮像部１からの映像信号および音声信号に所定の信号処理を施してＶＴＲブロック５に送出する信号処理部、３は映像を表示するＣＲＴまたは液晶表示パネル等を備え、前記信号処理部２において信号処理が施された映像信号が示す映像を映し出すと共に文字や記号による本体の各種情報の表示、並びに各種設定動作時のガイド表示等を示すオンスクリーン用の文字映像信号も映像表示するためのＥＶＦ（電子ビューファインダー）部、４は本実施の形態としてのカメラ一体型ＶＴＲの各種機能を総合的に制御するマイクロコンピュータを備え、後述するＶＴＲブロック５における可動部の制御、磁気テープの位置情報の検出、および各種動作の制御を行うシステム制御部、５は回転磁気ヘッド、磁気テープの搬送機構部、該搬送機構部を駆動する駆動部、および該駆動部をサーボ制御するサーボ機構部等から構成され、前記システム制御部４からの制御信号にしたがって前記信号処理部２において信号処理が施された映像信号および音声信号を磁気テープに記録したり、該磁気テープに記録された映像信号および音声信号を再生したりするＶＴＲブロック、６は例えば編集動作開始指示スイッチ、テープ走行停止指示スイッチ、編集点登録用スイッチ、再生モード指示スイッチ、１／５倍速再生指示スイッチ、１０倍速再生指示スイッチ等の装置の動作を指示するための各種スイッチを備えた操作部、７はシステム制御部４からの制御信号を受け側の記録装置を遠隔操作するための赤外線リモコン信号として発信する赤外線リモコン信号発生装置である。
【００１３】
図２は、前記図１に示したカメラ一体型ビデオテープレコーダの編集点登録時におけるマイクロコンピュータの制御動作フローチャートである。
【００１４】
図３は、前記図１に示したカメラ一体型ビデオテープレコーダの編集点登録時におけるＥＶＦ部の表示画面の例を示した図である。
【００１５】
なお、本発明の一実施の形態としてのカメラ一体型ビデオテープレコーダによりプログラム編集が行われる磁気テープにおいては、該磁気テープ上を回転磁気ヘッドにてトレースすることにより形成される複数のトラックの夫々に、映像信号および音声信号が記録される領域とテープ位置情報としてのタイムコードが記録される領域とが設けられている。
【００１６】
そこで、本実施の形態においては、磁気テープから再生されるタイムコードを用いて、編集プログラムの夫々のカットイン編集点（磁気テープ上において必要な映像信号や音声信号が記録されている部分の開始点）およびカットアウト編集点（磁気テープ上において必要な映像信号や音声信号が記録されている部分の終了点）の登録を行うものとする。
【００１７】
ところで、上記タイムコードは、磁気テープの再生中に発生するドロップアウトや外乱ノイズ等により正常なタイムコードが磁気テープから再生されず、タイムコードが連続的に得られない場合や、磁気テープを通常再生時とは異なる搬送速度で搬送した場合には磁気テープ上の各トラックにおけるタイムコードを夫々再生することができずタイムコードが間欠的にしか得られない場合があるので、図１のシステム制御部４のマイクロコンピュータでは、正常なタイムコードが磁気テープから再生されない場合には、例えば正常に再生された直前のタイムコードにより、正常に再生されなかったタイムコードを補間する補間処理を施すようになっている。なお、上記補間処理により補間されたタイムコードには“補間されたタイムコードであること”を示すフラグが付加された状態で該マイクロコンピュータ内のメモリに一旦保持されることになる。
【００１８】
以下、前記図１に示したカメラ一体型ビデオテープレコーダの編集点登録時の動作について説明する。
【００１９】
まず、図１の操作部６を操作することにより、システム制御部４に編集点登録動作の開始が指示され、再生モード指示スイッチが操作されると、該システム制御部４はＶＴＲブロック５を再生モードとし、磁気テープ上の各トラックに記録されている信号の再生動作が開始される。
【００２０】
なお、上述のように前記操作部６の再生モード指示スイッチが操作され前記ＶＴＲブロック５が再生モードとなった状態で、該操作部６の１／５倍速再生モード指示スイッチあるいは１０倍速再生モード指示スイッチ等が操作されると、前記ＶＴＲブロック５における磁気テープの搬送速度は、通常再生時とは異なる搬送速度に可変され、また、前記操作部６の再生モード指示スイッチの操作に関わらず該操作部６のテープ早送りスイッチあるいはテープ巻戻しスイッチが操作されることによっても、前記ＶＴＲブロック５における磁気テープの搬送速度は、前記通常再生時とは異なる搬送速度に可変されることになる。
【００２１】
以上のように前記磁気テープから再生される信号に含まれているテープの位置情報を示すタイムコードをシステム制御部４により検出し、該システム制御部４は、検出されたタイムコードにしたがって、磁気テープの位置情報の表示や編集プログラムの各編集点の登録等を行う。
【００２２】
以下、図２に示した制御動作フローチャートにしたがって、前記図１に示したカメラ一体型ビデオテープレコーダの編集点登録時の動作について説明する。
【００２３】
まず、図２のステップＳ０１において磁気テープの搬送速度の検出を行い、該搬送速度が通常再生時の２倍以上であることが検出された場合には、ステップＳ０９に移行し、該搬送速度が通常再生時の２倍以上でないことが検出された場合には、ステップＳ０２において編集点の登録のために前記システム制御部４のマイクロコンピュータ内のメモリに一旦保持されるタイムコードが、補間されたものであるか、磁気テープから正常に再生されたものであるかをチェックし、補間されたものである場合にはステップＳ０９に移行し、磁気テープから正常に再生されたものである場合には、ステップＳ０３に移行する。
【００２４】
そして、図２のステップＳ０３においてカットイン編集点が登録済みであるかどうかをチェックし、カットイン編集点が登録済みでない場合にはカットイン編集点の登録を行い（ステップＳ０４）、登録されたカットイン編集点のタイムコードを図３の（ａ）に示すように図１のＥＶＦ部３の画面上に表示し（ステップＳ０５）、次に登録するプログラムが有る場合には前記ステップＳ０１に戻り（ステップＳ０６）、前記ステップＳ０３においてカットイン編集点が登録済みであることが検出された場合にはカットアウト編集点の登録を行い（ステップＳ０７）、次に登録するプログラム番号にプログラム番号を更新し（ステップＳ０８）、次に登録するプログラムが無い場合には編集点登録動作を終了し、次に登録するプログラムが有る場合には前記ステップＳ０１に戻る（ステップＳ０６）。
【００２５】
なお、前記ステップＳ０１において磁気テープの搬送速度が通常再生時の２倍以上であることが検出された場合や、前記ステップＳ０２において編集点の登録のために前記システム制御部４のマイクロコンピュータ内のメモリに一旦保持されるタイムコードが、補間されたものである場合には、前記ステップＳ０９において、現在、編集点として登録しようとしている磁気テープ上の位置が編集点として登録が禁止（すなわち、補間されたタイムコードを編集点として登録しようとしている）の状態であることを図３の（ｂ）〜（ｄ）に示すように図１のＥＶＦ部３の画面上に当該プログラム登録に関する文字表示を点滅させることにより表示し、次に登録するプログラムが無い場合には編集点登録動作を終了し、次に登録するプログラムが有る場合には前記ステップＳ０１に戻る（ステップＳ０６）。
【００２６】
そして、図１の操作部６の編集動作開始指示スイッチを操作することにより、システム制御部４に編集動作実行開始が指示されると、上述のようにして登録された編集プログラムにしたがった編集動作の実行が開始され、ＶＴＲブロック５の動作モードを磁気テープの再生動作を行う再生モードとし、該編集プログラムに登録されている最初のカットイン編集点まで磁気テープを高速サーチ再生すると共に、赤外線リモコン信号発生装置７から受け側の記録装置としての他のビデオテープレコーダをポーズ状態にする制御コマンドを示す赤外線リモコン信号を発信させ、該受け側の記録装置としての他のビデオテープレコーダをポーズ状態にし、高速サーチ再生により磁気テープから再生されるタイムコードが編集プログラムに登録されている最初のカットイン編集点と一致したら前記ＶＴＲブロック５の動作モードを高速サーチ再生から通常再生とし、該編集プログラムに登録されている最初のカットイン登録点より磁気テープに記録されている信号を通常の再生速度で再生すると共に、赤外線リモコン信号発生装置７から受け側の記録装置としての他のビデオテープレコーダに対してポーズ状態を解除する制御コマンドを示す赤外線リモコン信号を発信させ、通常再生により磁気テープから再生されるタイムコードが編集プログラムに登録されているカットアウト編集点と一致したら前記ＶＴＲブロック５の動作モードを通常再生から高速サーチ再生すると共に、赤外線リモコン信号発生装置７から受け側の記録装置としての他のビデオテープレコーダをポーズ状態にする制御コマンドを示す赤外線リモコン信号を発信させ、該編集プログラムに登録されている次のカットイン編集点まで磁気テープを高速サーチ再生すると共に、前記赤外線リモコン信号発生装置７から受け側の記録装置としての他のビデオテープレコーダをポーズ状態にする制御コマンドを示す赤外線リモコン信号を発信させ、以下、実行するプログラムが無くなるまで上述の動作を繰り返し実行し、実行するプログラムが無くなったら編集動作を終了する。
【００２７】
以上のように、編集プログラムの夫々のカットイン編集点およびカットアウト編集点の登録は、使用者が磁気テープから再生される映像や音声の内容を実際に確認しながら行われるが、登録に使用されるタイムコードが前述のように補間されたものである場合は、使用者が内容を確認している映像や音声に対応した信号が記録されている磁気テープ上の位置と登録に使用されるタイムコードが示す磁気テープ上の位置との対応がとれなていないので、このようにして登録された編集プログラムにより編集を行った場合には、結果として希望通りの編集ができないことになるが、本実施の形態としてのカメラ一体型ビデオテープレコーダにおいては、磁気テープの搬送速度が通常再生時の２倍以上である場合や、編集点として登録しようとしているタイムコードが補間されたものである場合には、編集点の登録を禁止すると共に、当該登録禁止状態を図１のＥＶＦ部３の画面上に表示したり、外部映像出力より図３の（ｂ）〜（ｄ）に示すような登録禁止状態を示す文字表示がインポーズされた映像信号を出力したりすることにより、使用者にその旨を明示し、使用者が当該タイムコードが登録禁止状態であることを容易に認識できるようにすることにより、編集しようとしている映像や音声に対応した信号が記録されている磁気テープ上の位置とは対応がとれていないタイムコードを誤って編集点として登録してしまわないようにすることができ、操作性の向上を図ることができる。
【００２８】
【発明の効果】
以上説明したように、本発明によれば、従来の課題を解決し、編集プログラムの登録時に、使用者が気を使うことなく簡単に、記録媒体上の実際の位置との対応がとれている位置情報によって編集プログラムの各編集点の登録を行うことができ、希望通りの編集を正確に行うことができる編集機能内蔵再生装置を提供することができる。
【図面の簡単な説明】
【図１】本発明の一実施の形態としてのカメラ一体型ビデオテープレコーダの概略構成を示すブロック図である。
【図２】図１に示したカメラ一体型ビデオテープレコーダの編集点登録時におけるマイクロコンピュータの制御動作フローチャートである。
【図３】図１に示したカメラ一体型ビデオテープレコーダの編集点登録時におけるＥＶＦ部の表示画面の例を示した図である。
【符号の説明】
１  撮像部
２  信号処理部
３  ＥＶＦ（電子ビューファインダー）部
４  システム制御部
５  ＶＴＲブロック
６  操作部
７  赤外線リモコン信号発生装置
【図１】
0003768669.tif 000002
【図２】
0003768669.tif 000003
【図３】
0003768669.tif 000004